(57)【要約】      （修正有）【課題】引き手が、第１の側止部と第２の側止部との何れか一方に接触する接触面積を低減できる隠しスライダー組立構造体を提供する。【解決手段】隠しスライダー組立構造体は、摺動部１と引き手２を含み、摺動部は、基底部１０、第１の側止部１１、第２の側止部１２、ベース部１３、及び可動係合体１４を含む。引き手は、移動可能に可動係合体と互いに合わせるように構成される。第１の側止部と第２の側止部はそれぞれ、基底部における２つの反対側端から上方へ伸びる。可動係合体は、移動可能にベース部に配置される。第１の側止部の頂端は、複数の第１の微小凸構造１１１を有し、第２の側止部の頂端は、複数の第２の微小凸構造１２１を有する。引き手は、少なくとも１つの第１の微小凸構造、又は少なくとも１つの第２の微小凸構造に接触する。【選択図】図１２
0003221553.tif 000002
【実用新案登録請求の範囲】
【請求項１】
基底部、第１の側止部、第２の側止部、ベース部、及び可動係合体を含む摺動部と、移動可能に前記可動係合体と互いに合わせるように構成される引き手と、を含む隠しスライダー組立構造であって、
前記第１の側止部と前記第２の側止部は、それぞれ前記基底部の２つの反対側端から上に伸びるように形成され、
前記第１の側止部と前記第２の側止部とは、互いに対応するように前記基底部の前端部に連接され、
前記ベース部は、前記基底部の後端部に連接するように前記基底部に配置され、前記ベース部は、前記第１の側止部と前記第２の側止部との間に配置される貫通位置決め開口を備え、前記可動係合体は、移動可能に前記ベース部に配置され、前記可動係合体の一方の末端には、前記貫通位置決め開口を貫通する位置決め部を有し、
前記第１の側止部の頂端は、複数の第１の微小凸構造を含み、前記第２の側止部の頂端は、複数の第２の微小凸構造を含み、前記引き手は、少なくとも１つの前記第１の微小凸構造、又は少なくとも１つの前記第２の微小凸構造に接触され、それにより、前記引き手が前記第１の側止部と前記第２の側止部との何れか一方に接触する接触面積を低減する、ことを特徴とする、隠しスライダー組立構造体
【請求項２】
前記第１の側止部の頂端は、第１の凹凸構造を含み、前記第２の側止部の頂端は、第２の凹凸構造を含み、複数の前記第１の微小凸構造は、前記第１の凹凸構造に配置され、複数の前記第２の微小凸構造は、前記第２の凹凸構造に配置される、ことを特徴とする、請求項１に記載する隠しスライダー組立構造体。
【請求項３】
前記第１の凹凸構造は、前記第１の側止部の前記頂端の最も内側に配置される少なくとも１つの第１の凸形状のリブを含み、複数の前記第１の微小凸構造は、少なくとも１つの前記第１の凸形状のリブに配置され、前記第１の凹凸構造包括設置在前記第１の側止部の前記頂端の最も外側に配置される少なくとも１つの第１の凹溝を含み、少なくとも１つの前記第１の凸形状のリブが前記基底部に対する高さは、少なくとも１つの前記第１の凹溝が前記基底部に対する高さよりも大きく形成され、
前記第２の凹凸構造は、前記第２の側止部の前記頂端の最も内側に配置される少なくとも１つの第２の凸形状のリブを含み、複数の前記第２の微小凸構造は、少なくとも１つの前記第２の凸形状のリブに配置され、前記第２の凹凸構造は、前記第２の側止部の前記頂端の最も外側に配置される少なくとも１つの第２の凹溝を含み、少なくとも１つの前記第２の凸形状のリブが前記基底部に対する高さは、少なくとも１つの前記第２の凹溝が前記基底部に対する高さよりも大きく形成され、
前記引き手は、少なくとも１つの前記第１の凹溝と少なくとも１つの前記第２の凹溝とのいずれにも互いに接触せずに離れている、ことを特徴とする、請求項１に記載する隠しスライダー組立構造体。
【請求項４】
前記第１の凹凸構造は、前記第１の側止部の前記頂端の最も外側に配置される少なくとも１つの第１の凸形状のリブを含み、複数の前記第１の微小凸構造は、少なくとも１つの前記第１の凸形状のリブに配置され、前記第１の凹凸構造は、前記第１の側止部の前記頂端の最も内側に配置される少なくとも１つの第１の凹溝を含み、少なくとも１つの前記第１の凸形状のリブが前記基底部に対する高さは、少なくとも１つの前記第１の凹溝が前記基底部に対する高さよりも大きく形成され、
前記第２の凹凸構造は、前記第２の側止部の前記頂端の最も外側に配置される少なくとも１つの第２の凸形状のリブを含み、複数の前記第２の微小凸構造は、少なくとも１つの前記第２の凸形状のリブに配置され、前記第２の凹凸構造は、前記第２の側止部の前記頂端の最も内側に配置される少なくとも１つの第２の凹溝を含み、少なくとも１つの前記第２の凸形状のリブが前記基底部に対する高さは、少なくとも１つの前記第２の凹溝が前記基底部に対する高さよりも大きく形成され、
前記引き手は、少なくとも１つの前記第１の凹溝と少なくとも１つの前記第２の凹溝とのいずれにも互いに接触せずに離れている、ことを特徴とする、請求項２に記載する隠しスライダー組立構造体。
【請求項５】
前記第１の凹凸構造は、前記第１の側止部の前記頂端に配置される少なくとも２つの第１の凹溝と、少なくとも２つの前記第１の凹溝の間に位置される少なくとも１つの第１の凸形状のリブとを含み、複数の前記第１の微小凸構造は、少なくとも１つの前記第１の凸形状のリブに配置され、少なくとも２つの前記第１の凸形状のリブの何れか一方が前記基底部に対する高さは、少なくとも１つの前記第１の凹溝が前記基底部に対する高さよりも大きく形成され、
前記第２の凹凸構造は、前記第２の側止部の前記頂端に配置される少なくとも２つの第２の凹溝と、少なくとも２つの前記第２の凹溝の間に位置される少なくとも１つの第２の凸形状のリブとを含み、複数の前記第２の微小凸構造は、少なくとも１つの前記第２の凸形状のリブに配置され、少なくとも２つの前記第２の凸形状のリブの何れか一方が前記基底部に対する高さは、少なくとも１つの前記第２の凹溝が前記基底部に対する高さよりも大きく形成され、
前記引き手は、前記第１の凹溝と前記第２の凹溝とのいずれにも互いに接触せずに離れている、ことを特徴とする、請求項２に記載する隠しスライダー組立構造体。
【請求項６】
基底部、第１の側止部、第２の側止部、ベース部、及び可動係合体を含む摺動部と、
前記引き手移動可能に前記可動係合体と互いに合わせるように構成される引き手と、
を含む隠しスライダー組立構造であって、
前記第１の側止部と前記第２の側止部とは、それぞれ前記基底部の２つの反対側端から上に伸びるように形成され、前記可動係合体は、移動可能に前記ベース部に配置され、
前記第１の側止部の頂端は、複数の第１の微小凸構造を含み、前記第２の側止部の頂端は、複数の第２の微小凸構造を含み、前記引き手は、少なくとも１つの前記第１の微小凸構造、又は少なくとも１つの前記第２の微小凸構造に接触して、それにより、前記引き手が前記第１の側止部と前記第２の側止部との何れか一方に接触する接触面積を低減する、ことを特徴とする、隠しスライダー組立構造体。
【請求項７】
前記第１の側止部の頂端は、第１の凹凸構造を含み、前記第２の側止部の頂端は、第２の凹凸構造を含み、複数の前記第１の微小凸構造は、前記第１の凹凸構造に配置され、複数の前記第２の微小凸構造は、前記第２の凹凸構造に配置される、ことを特徴とする、請求項６に記載する隠しスライダー組立構造体。
【請求項８】
第１の側止部、及び第２の側止部を含む摺動部と、移動可能に前記摺動部と互いに合わせるように構成される引き手と、を含む隠しスライダー組立構造であって、
前記第１の側止部の頂端は、複数の第１の微小凸構造を含み、前記第２の側止部の頂端は、複数の第２の微小凸構造を含み、前記引き手は、少なくとも１つの前記第１の微小凸構造、又は少なくとも１つの前記第２の微小凸構造に接触し、それにより、前記引き手が前記第１の側止部と前記第２の側止部との何れか一方に接触する接触面積を低減する、ことを特徴とする、隠しスライダー組立構造体。
【請求項９】
前記第１の側止部の頂端は、第１の凹凸構造を含み、前記第２の側止部の頂端は、第２の凹凸構造を含み、複数の前記第１の微小凸構造は、前記第１の凹凸構造に配置され、複数の前記第２の微小凸構造は、前記第２の凹凸構造に配置される、ことを特徴とする、請求項８に記載する隠しスライダー組立構造体。
【請求項１０】
前記第１の凹凸構造は、前記第１の側止部の前記頂端に配置される少なくとも１つの第１の凸形状のリブを含み、複数の前記第１の微小凸構造は、少なくとも１つの前記第１の凸形状のリブに配置され、前記第１の凹凸構造は、前記第１の側止部の前記頂端に配置される少なくとも１つの第１の凹溝を含み、
前記第２の凹凸構造は、前記第２の側止部の前記頂端に配置される少なくとも１つの第２の凸形状のリブを含み、複数の前記第２の微小凸構造は、少なくとも１つの前記第２の凸形状のリブに配置され、前記第２の凹凸構造は、前記第２の側止部の前記頂端に配置される少なくとも１つの第２の凹溝を含み、
前記引き手は、少なくとも１つの前記第１の凹溝と少なくとも１つの前記第２の凹溝との何れかにも互いに接触せずに離れている、ことを特徴とする、請求項９に記載する隠しスライダー組立構造体。
【考案の詳細な説明】
【技術分野】
【０００１】
本考案は、スライダー組立構造体に関し，特に隠しスライダー組立構造体に関する。
【背景技術】
【０００２】
一般的に、服装の基本的な引き込み要素は、ボタンやジッパーの使用に過ぎない。ボタンと比べて、ジッパーはより易く使えより強固の構造に構成されている。ジッパーはスライダー及びファスナーが備えられる。スライダーは主にファスナーと合わせてエレメント同士を噛み合い又は離せるように往復引くために使われている。ジッパーは服装又はアクセサリーに広く使われている。なお、従来のジッパーにおけるスライダーにおいて、弾性部材、引手保持部では、別々にしても合わせて使っても改善する余裕がある。
【考案の概要】
【考案が解決しようとする課題】
【０００３】
本考案が解決しようとする課題は、既存の技術の不足に対して、摺動部と引き手との接触面積を低減できる隠しスライダー組立構造体を提供する。
【課題を解決するための手段】
【０００４】
上記技術課題を解決するために、本考案が採用する技術方案の１つとしては、下記の隠しスライダー組立構造体を提供する。該隠しスライダー組立構造体は、摺動部及び引き手を含む。前記摺動部は、基底部、第１の側止部、第２の側止部、ベース部及び可動係合体を含む。前記引き手は可動的に前記可動係合体と互いに合わせる。なかでも、前記第１の側止部と前記第２の側止部は、それぞれ前記基底部の２つの反対側端から上に伸びるように形成される。前記第１の側止部と前記第２の側止部は、互いに対応して、前記基底部の前端部に連結される。前記ベース部は、前記基底部に配置され、前記基底部の後端部に連結される。前記ベース部は、前記第１の側止部と前記第２の側止部との間に位置される貫通位置決め開口を含む。前記可動係合体は移動できるように、前記ベース部に配置され、かつ、前記可動係合体の中の一方の末端には、前記貫通位置決め開口を貫通した位置決め部が含まれる。なかでも、前記第１の側止部の頂端は複数の第１の微小凸構造が設けられ、前記第２の側止部の頂端には複数の第２の微小凸構造が設けられ、かつ、前記引き手は、少なくとも１つの前記第１の微小凸構造または少なくとも１つの前記第２の微小凸構造と接触して、それにより、前記引き手が前記第１の側止部と前記第２の側止部との何れか一方に接触する接触面積を低減する。
【０００５】
上記の技術的な課題を解決するために、本考案が採用する他の技術的な手段は、下記の隠しスライダー組立構造体を提供する。該隠しスライダー組立構造体は、摺動部及び引き手を含む。前記摺動部は、基底部、第１の側止部、第２の側止部、ベース部及び可動係合体を含む。前記引き手は可動的に前記可動係合体と互いに合わせるように構成される。なかでも、前記第１の側止部と前記第２の側止部とは、それぞれ前記基底部の２つの反対側端から上に伸びるように形成される。かつ、前記可動係合体は、移動可能に前記ベース部に設けられる。なかでも、前記第１の側止部の頂端は、複数の第１の微小凸構造を有し、前記第２の側止部の頂端は、複数の第２の微小凸構造を有し、前記引き手は、少なくとも１つの前記第１の微小凸構造または少なくとも１つの前記第２の微小凸構造と接触するように構成される。
【０００６】
上記の技術的な課題を解決するために、本考案が採用する他の技術的な手段は、下記の隠しスライダー組立構造体を提供する。該隠しスライダー組立構造体は、摺動部及び引き手を含む。前記摺動部は、第１の側止部及び第２の側止部を含む。前記引き手は移動可能に前記摺動部と互いに合わせるように構成される。なかでも、前記第１の側止部の頂端は、複数の第１の微小凸構造を有し、前記第２の側止部の頂端は、複数の第２の微小凸構造を有し、かつ、前記引き手は、少なくとも１つの前記第１の微小凸構造、または少なくとも１つの前記第２の微小凸構造と接触するように構成される。
【考案の効果】
【０００７】
本考案による有益な効果の１つとしては、本考案が提供する隠しスライダー組立構造体では、「前記第１の側止部の頂端が複数の第１の微小凸構造を有し、前記第２の側止部の頂端が複数の第２の微小凸構造を有する」、及び「前記引き手が少なくとも１つの前記第１の微小凸構造、または少なくとも１つの前記第２の微小凸構造と接触するように構成される」という技術手段により、前記引き手が前記第１の側止部と前記第２の側止部との何れか一方に接触する接触面積を低減することができる。
【図面の簡単な説明】
【０００８】
【図１】本考案の第１の実施形態にかかる隠しスライダー組立構造体の摺動部を示す立体模式図である。
【図２】本考案の第１の実施形態にかかる隠しスライダー組立構造体の摺動部を示す上面模式図である。
【図３】本考案の可動係合体を示す立体模式図である。
【図４】本考案の第１の実施形態の隠しスライダー組立構造体を示す立体模式図である。
【図５】本考案の第１の実施形態にかかる隠しスライダー組立構造体を示す上面模式図である。
【図６】本考案の第１の実施形態にかかる隠しスライダー組立構造体を示す側面模式図である。
【図７】本考案の隠しスライダー組立構造体がファスナーテープに摺動する上面模式図である。
【図８】本考案の第２の実施形態にかかる隠しスライダー組立構造体を示す立体模式図である。
【図９】本考案の第２の実施形態にかかる隠しスライダー組立構造体を示す上面模式図である。
【図１０】本考案の第３の実施形態にかかる隠しスライダー組立構造体を示す立体模式図である。
【図１１】本考案の第３の実施形態にかかる隠しスライダー組立構造体を示す上面模式図である。
【図１２】本考案の第４の実施形態にかかる隠しスライダー組立構造体を示す上面模式図である。
【図１３】本考案の第５の実施形態にかかる隠しスライダー組立構造体を示す上面模式図である。
【図１４】本考案の第６の実施形態にかかる隠しスライダー組立構造体を示す上面模式図である。
【図１５】本考案の第７の実施形態にかかる隠しスライダー組立構造体の摺動部を示す立体模式図である。
【図１６】本考案の第７の実施形態にかかる隠しスライダー組立構造体的摺動部的上面模式図である。
【図１７】本考案の第７の実施形態にかかる隠しスライダー組立構造体を示す上面模式図である。
【図１８】本考案の第７の実施形態にかかる隠しスライダー組立構造体を示す側面模式図である。
【考案を実施するための形態】
【０００９】
本考案の特徴及び技術内容がより一層分かるように、以下本考案に関する詳細な説明と添付図面を参照する。しかし、提供される添付図面は参考と説明のために提供するものに過ぎず、本考案の実用新案登録請求の範囲を制限するためのものではない。
【００１０】
本開示は、その中の多数の修正および変形が当業者に明らかであるので、例示としてのみ意図される以下の実施例においてより詳細に記載される。図面中の類似の番号は、図面を通して類似の構成要素を示す。なお、この考案の図面はあくまで説明のためのものであり、実際の大きさに応じて予め記載されているわけではない。以下の実施形態は、本考案の関連技術内容をさらに説明するが、本開示は本試験の保護範囲を限定することを意図するものではない。
【００１１】
［第１の実施形態］
図１ないし図３に示すように、本考案は、基底部１０、第１の側止部１１、第２の側止部１２、ベース部１３、及び可動係合体１４（例えば、引手保持部）を含む、摺動部１（スライダーでも称する）を提供する。
【００１２】
まず、図１ないし図３に示すように、第１の側止部１１と第２の側止部１２とはそれぞれ基底部１０の２つの反対側端から上に伸びるように形成される。また、第１の側止部１１と第２の側止部１２とは互いに対応するように基底部１０の前端部１０１に連接される。また、ベース部１３は基底部１０に配置されるとともに基底部１０の後端部１０２に連接される。ベース部１３は、第１の側止部１１と第２の側止部１２との間に位置される貫通位置決め開口１３０を含む。また、可動係合体１４は、移動可能にベース部１３に配置され、可動係合体１４的一方の末端は、貫通位置決め開口１３０に貫通する位置決め部１４０を有する。例えば、図１及び図３に示すように、可動係合体１４は、枢支穴（図示しない）を含み、可動係合体１４は、枢支穴を介して枢支軸（図示しない）と協働してベース部１３に枢結するように配置されてもよい。
【００１３】
さらに言えば、基底部１０は、第１の対称中心線を有し、ベース部１３は、第２の対称中心線を有する。第１の対称中心線は、貫通位置決め開口１３０の幾何学的中心点を通過するように構成され、ベース部１３の第２の対称中心線は、第１の対称中心線と対応するように、第２の側止部１２から第１の側止部１１に向かう水平方向に沿って水平で所定な水平ずれ量をずれている。
【００１４】
さらに言えば、可動係合体１４の位置決め部１４０の一方の側面は、水平方向と反対する反対方向に沿って窪んで縁取り１４００に形成される。それにより、位置決め部１４０は、第２の対称中心線から外れて第１の対称中心線に寄せる（図３に示すように）。
【００１５】
図４ないし図７に示すように、本考案は、隠しスライダー組立構造体Ｚを提供する。隠しスライダー組立構造体Ｚは、互いに対応する第１のエレメント列３１、及び第２のエレメント列３２を含むファスナーテープ３に設けられる。隠しスライダー組立構造体Ｚは、摺動部１及び引き手２を含む。
【００１６】
図１、図４及び図７に示すように、摺動部１は、基底部１０、第１の側止部１１、第２の側止部１２、ベース部１３、及び可動係合体１４を含む。まず、第１の側止部１１と第２の側止部１２は、それぞれ基底部１０の２つの反対側端から上に伸びるように形成される。第１の側止部１１と第２の側止部１２とは、互いに対応するように基底部１０の前端部１０１に連接される。また、ベース部１３は、基底部１０の後端部１０２に連接するように基底部１０に配置される。ベース部１３は、第１の側止部１１と第２の側止部１２との間に位置される貫通位置決め開口１３０を有する。また、可動係合体１４は移動可能にベース部１３に配置される。可動係合体１４の一方の末端は、貫通位置決め開口１３０に貫通する位置決め部１４０を有する。さらに、引き手２は、移動可能に可動係合体１４と互いに合わせるように構成される。例えば、引き手２の一方の末端部２０は、移動可能に可動係合体１４と合わせるように構成される。
【００１７】
さらに言えば、図４及び図７に示すように、第１のエレメント列３１は、第１のエレメントキャリア３１０と、第１のエレメントキャリア３１０に固定される複数の第１のエレメント３１１とを含む。かつ、第２のエレメント列３２は、第２のエレメントキャリア３２０と、第２のエレメントキャリア３２０に固定される複数の第２のエレメント３２１を含む。また、図７に示すように、第１のエレメント３１１ごとは、２つの隣り合う第２のエレメント３２１の間に係合するように固定される。なかでも、一方の第１のエレメント３１１がある２つの第２のエレメント３２１の間に係合するように固定され隙間を形成した場合、位置決め部１４０が隙間に挿入できるため、隠しスライダー組立構造体Ｚは、位置決め部１４０と隙間の協働により良い精度でファスナーテープ３に位置決めることができる。
【００１８】
ところで、図１、図４及び図５に示すように、第１の側止部１１の頂端は、第１の凹凸構造１１０を形成するように段付きに構成され、それにより第１の側止部１１に、段付き構造（第１の凹凸構造１１０）を含む第１の肩部が形成される。また、第２の側止部１２の頂端は、第２の凹凸構造１２０を形成するように段付きに構成され、それにより第２の側止部１２に、段付き構造（第１の凹凸構造１１０）を含む第２の肩部が形成される。また、引き手２は、第１の側止部１１の第１の凹凸構造１１０と第２の側止部１２の第２の凹凸構造１２０との何れか一方に接触することにより、引き手２が第１の側止部１１の頂端と第２の側止部１２の頂端との何れか一方に接触する接触面積を低減する。即ち、引き手２が第１の側止部１１の第１の凹凸構造１１０と第２の側止部１２の第２の凹凸構造１２０との何れか一方に接触するようになるため、本考案は、引き手２が第１の側止部１１に接触する際の引き手２と第１の側止部１１の頂端との間の接触面積を低減するか、又は引き手２が第２の側止部１２に接触する際の引き手２と第２の側止部１２の頂端との間の接触面積を低減することができる。
【００１９】
例えば、図４ないし図６に示すように、第１の凹凸構造１１０は、第１の側止部１１の頂端の最も外側に配置される少なくとも１つの第１の凸形状のリブ１１０１（或いは、第１の凸部、第１の凸面でも称する）を含む。第１の凹凸構造１１０は、第１の側止部１１の頂端の最も内側に配置される少なくとも１つの第１の凹溝１１０２（或いは、第１の凹部、第１の凹面）を含む。なお、少なくとも１つの第１の凸形状のリブ１１０１が基底部１０に対する高さＨ１１は、少なくとも１つの第１の凹溝１１０２が基底部１０に対する高さＨ１２よりも大きいとなる。また、第２の凹凸構造１２０は、第２の側止部１２の頂端の最も外側に配置される少なくとも１つの第２の凸形状のリブ１２０１（或いは、第２１の凸部、第２の凸面）を含む。第２の凹凸構造１２０は、第２の側止部の頂端の最も内側に配置される少なくとも１つの第２の凹溝１２０２（或いは、第２の凹部、第２の凹面）を含む。少なくとも１つの第２の凸形状のリブ１２０１が基底部１０に対する高さＨ２１は、少なくとも１つの第２の凹溝１２０２が基底部１０に対する高さＨ２２よりも高いとなる。なお、第１の実施形態における第１の凹凸構造１１０及び第２の凹凸構造１２０は、例示したものに過ぎなく、本考案を制限するものではない。
【００２０】
さらに言えば、図４及び図５に示すように、引き手２は、少なくとも１つの第１の凸形状のリブ１１０１の一部、又は少なくとも１つの第２の凸形状のリブ１２０１の一部の何れか一方に接触するか、或いは、引き手２が同時に少なくとも１つの第１の凸形状のリブ１１０１の一部と少なくとも１つの第２の凸形状のリブ１２０１の一部のいずれも接触する。なお、引き手２は、少なくとも１つの第１の凹溝１１０２及び少なくとも１つの第２の凹溝１２０２のいずれにも接触しないように離れている。
【００２１】
それにより、引き手２は、第１の凹溝１１０２及び第２の凹溝１２０２と接触せずに、第１の凸形状のリブ１１０１又は第２の凸形状のリブ１２０１のみと接触するため、本考案が提出した隠しスライダー組立構造体Ｚは、効果的に引き手２と第１の側止部１１の頂端との間の接触面積を低減するか、或いは、引き手２と第２の側止部１２の頂端との間の接触面積を低減することができる。ここで、隠しスライダー組立構造体Ｚに着色塗装やメッキ層をかける際、引き手２が第１の側止部１１の頂端及び第２の側止部１２の頂端に粘着しにくいため、第１の側止部１１の頂端及び第２の側止部１２の頂端には、塗装ムラ欠陥が発生しない。
【００２２】
［第２の実施形態］
図８及び図９に示すように、本考案の第２の実施形態は、隠摺動部１及び引き手２を含むしスライダー組立構造体Ｚを提供する。図８と図４との比較、及び図９と図５との比較から分かるように、本考案の第２の実施形態と第１の実施形態との最大の差異点では、第２の実施形態において、第１の凹凸構造１１０は、第１の側止部１１の頂端の最も内側に配置される少なくとも１つの第１の凸形状のリブ１１０１を含み、第１の凹凸構造１１０は、第１の側止部１１の頂端の最も外側に配置される少なくとも１つの第１の凹溝１１０２を含む。かつ、少なくとも１つの第１の凸形状のリブ１１０１が基底部１０に対する高さＨ１１は、少なくとも１つの第１の凹溝１１０２が基底部１０に対する高さＨ１２よりも大きいとなる。また、第２の凹凸構造１２０は、第２の側止部１２の頂端の最も内側に配置される少なくとも１つの第２の凸形状のリブ１２０１を含み、第２の凹凸構造１２０は、第２の側止部の頂端の最も外側に配置される少なくとも１つの第２の凹溝１２０２を含む。少なくとも１つの第２の凸形状のリブ１２０１が基底部１０に対する高さＨ２１は、少なくとも１つの第２の凹溝１２０２が基底部１０に対する高さＨ２２よりも大きいとなる。なお、第２の実施形態に提供された第１の凹凸構造１１０と第２の凹凸構造１２０は、例示したものに過ぎなく、本考案を制限するものではない。
【００２３】
さらに言えば、図８及び図９に示すように、引き手２は、少なくとも１つの第１の凸形状のリブ１１０１の一部、または少なくとも１つの第２の凸形状のリブ１２０１の一部のいずれか一方に接触するか、或いは、引き手２は、同時に少なくとも１つの第１の凸形状のリブ１１０１の一部と、少なくとも１つの第２の凸形状のリブ１２０１の一部とのいずれにも接触する。かつ、引き手２は、少なくとも１つの第１の凹溝１１０２、又は少なくとも１つの第２の凹溝１２０２のいずれにも接触しないように離れている。
【００２４】
それにより、引き手２は、第１の凹溝１１０２及び第２の凹溝１２０２と接触せずに、第１の凸形状のリブ１１０１（又は、第２の凸形状のリブ１２０１）のみに接触するため、本考案が提供する隠しスライダー組立構造体Ｚは、効果的に、引き手２と第１の側止部１１の頂端との間の接触面積を低減するか、又は、引き手２と第２の側止部１２の頂端との間の接触面積を低減することができる。ここで、隠しスライダー組立構造体Ｚに着色塗装やメッキ層をかける際、引き手２が第１の側止部１１の頂端及び第２の側止部１２の頂端に粘着しにくいため、第１の側止部１１の頂端及び第２の側止部１２の頂端には、塗装ムラ欠陥が発生しない。
【００２５】
［第３の実施形態］
図１０及び図１１に示すように、本考案の第３の実施形態は、摺動部１及び引き手２を含む隠しスライダー組立構造体Ｚを提供する。図１０と図４との比較、又は図１１と図５との比較から分かるように、本考案の第３の実施形態と第１の実施形態との最大の差異点では、第３の実施形態において、第１の凹凸構造１１０は、第１の側止部１１の頂端に配置される少なくとも２つの第１の凹溝１１０２と、少なくとも２つの第１の凹溝１１０２の間に位置される少なくとも１つの第１の凸形状のリブ１１０１とを含む。かつ、少なくとも２つの第１の凸形状のリブ１１０１の中の１つが基底部１０に対する高さＨ１１は、少なくとも１つの第１の凹溝１１０２が基底部１０に対する高さＨ１２よりも大きいとなる。また、第２の凹凸構造１２０は、第２の側止部１２の頂端に配置される少なくとも２つの第２の凹溝１２０２と、少なくとも２つの第２の凹溝１２０２の間に位置される少なくとも１つの第２の凸形状のリブ１２０１とを含む。かつ、少なくとも２つの第２の凸形状のリブ１２０１の中の１つが基底部１０に対する高さＨ２１は、少なくとも１つの第２の凹溝１２０２が基底部１０に対する高さＨ２２よりも大きくなる。なお、第３の実施形態が提供する第１の凹凸構造１１０と第２の凹凸構造１２０は、例示したものに過ぎなく、本考案を制限するものではない。
【００２６】
さらに言えば、図１０及び図１１に示すように、引き手２は、少なくとも１つの第１の凸形状のリブ１１０１の一部と、少なくとも１つの第２の凸形状のリブ１２０１の一部との何れか一方に接触するか、或いは引き手２は、同時に少なくとも１つの第１の凸形状のリブ１１０１の一部と、少なくとも１つの第２の凸形状のリブ１２０１の一部のいずれにも接触する。かつ、引き手２は、少なくとも１つの第１の凹溝１１０２及び少なくとも１つの第２の凹溝１２０２のいずれにも互いに接触しないように離れている。
【００２７】
それにより、引き手２は、第１の凹溝１１０２及び第２の凹溝１２０２に接触せずに、第１の凸形状のリブ１１０１または第２の凸形状のリブ１２０１のみに接触する。従って、本考案が提供する隠しスライダー組立構造体Ｚは、効果的に引き手２と第１の側止部１１の頂端との間の接触面積を低減するか、或いは引き手２と第２の側止部１２の頂端との間の接触面積を低減することができる。ここで、隠しスライダー組立構造体Ｚに着色塗装やメッキ層をかける際、引き手２が第１の側止部１１の頂端及び第２の側止部１２の頂端に粘着しにくいため、第１の側止部１１の頂端及び第２の側止部１２の頂端には、塗装ムラ欠陥が発生しない。
【００２８】
［第４の実施形態］
図１２に示すように、本考案の第４の実施形態は、摺動部１及び引き手２を含む隠しスライダー組立構造体Ｚを提供する。図１２と図５の比較からわかるように、本考案の第４の実施形態と第１の実施形態との最大な差異では、第４の実施形態において、第１の側止部１１の頂端は、複数の第１の微小凸構造１１１を含み、第２の側止部１２の頂端は、複数の第２の微小凸構造１２１を含み、かつ、引き手２が、少なくとも１つの第１の微小凸構造１１１と、少なくとも１つの第２の微小凸構造１２１とのいずれか一方に接触するか、または、少なくとも１つの第１の微小凸構造１１１と少なくとも１つの第２の微小凸構造１２１とのいずれも接触することにより、引き手２が第１の側止部１１及び第２の側止部１２のいずれか一方に接触する接触面積を低減することにある。
【００２９】
それにより、隠しスライダー組立構造体Ｚに着色塗装やメッキ層をかける際、第１の微小凸構造１１１または第２の微小凸構造１２１を採用したために、引き手２が第１の側止部１１の頂端及び第２の側止部１２の頂端に粘着しにくいため、第１の側止部１１の頂端及び第２の側止部１２の頂端には、塗装ムラ欠陥が発生しない。
【００３０】
［第５の実施形態］
図１３に示すように、本考案の第５の実施形態は、摺動部１及び引き手２を含む隠しスライダー組立構造体Ｚを提供する。図１３と図９の比較からわかるように、本考案の第５の実施形態と第２の実施形態との最大な差異では、第５の実施形態において、第１の側止部１１の頂端は、複数の第１の微小凸構造１１１を含み、第２の側止部１２の頂端は、複数の第２の微小凸構造１２１を含み、引き手２は、少なくとも１つの第１の微小凸構造１１１と、少なくとも１つの第２の微小凸構造１２１といずれか一方に接触するか、または少なくとも１つの第１の微小凸構造１１１と少なくとも１つの第２の微小凸構造１２１とのいずれも接触するにより、引き手２が第１の側止部１１及び第２の側止部１２のいずれか１つに接触する接触面積を低減することにある。
【００３１】
それにより、隠しスライダー組立構造体Ｚに着色塗装やメッキ層をかける際、第１の微小凸構造１１１または第２の微小凸構造１２１を採用したために、引き手２が第１の側止部１１の頂端及び第２の側止部１２の頂端に粘着しにくいため、第１の側止部１１の頂端及び第２の側止部１２の頂端には、塗装ムラ欠陥が発生しない。
【００３２】
［第６の実施形態］
図１４に示すように、本考案の第６の実施形態は、摺動部１及び引き手２を含む隠しスライダー組立構造体Ｚを提供する。図１４と図１１との比較からわかるように、本考案の第６の実施形態と第３の実施形態との最大な差異では、第６の実施形態において、第１の側止部１１の頂端は、複数の第１の微小凸構造１１１を含み、第２の側止部１２の頂端は、複数の第２の微小凸構造１２１を含み、かつ、引き手２は、少なくとも１つの第１の微小凸構造１１１と、少なくとも１つの第２の微小凸構造１２１とのいずれか一方に接触するか、或いは少なくとも１つの第１の微小凸構造１１１と、少なくとも１つの第２の微小凸構造１２１とのいずれも接触することにより、引き手２が第１の側止部１１と第２の側止部１２とのいずれか一方に接触する接触面積を低減することにある。
【００３３】
それにより、隠しスライダー組立構造体Ｚに着色塗装やメッキ層をかける際、第１の微小凸構造１１１または第２の微小凸構造１２１を採用したために、引き手２が第１の側止部１１の頂端及び第２の側止部１２の頂端に粘着しにくいため、第１の側止部１１の頂端及び第２の側止部１２の頂端には、塗装ムラ欠陥が発生しない。
【００３４】
［第７の実施形態］
図１５ないし図１８に示すように、本考案の第７の実施形態は、摺動部１及び引き手２を含む隠しスライダー組立構造体Ｚを提供する。図１５ないし図１８に示すように、図１、図２、図５、図６の比較からわかるように、本考案の第７の実施形態と第１の実施形態との最大な差異では、第７の実施形態において、第１の側止部１１の頂端は平面に形成されるとともに、複数の第１の微小凸構造１１１が配置され、第２の側止部１２の頂端は平面に形成されるとともに、複数の第２の微小凸構造１２１が配置される。引き手２が少なくとも１つの第１の微小凸構造１１１と、少なくとも１つの第２の微小凸構造１２１とのいずれか一方に接触するか、或いは、引き手２が少なくとも１つの第１の微小凸構造１１１と、少なくとも１つの第２の微小凸構造１２１とのいずれも接触する時、第１の微小凸構造１１１または第２の微小凸構造１２１を採用したために、引き手２が第１の側止部１１及び第２の側止部１２のいずれか一方に接触する接触面積を低減することができる。
【００３５】
それにより、隠しスライダー組立構造体Ｚに着色塗装やメッキ層をかける際、第１の微小凸構造１１１または第２の微小凸構造１２１を採用したために、引き手２が第１の側止部１１の頂端及び第２の側止部１２の頂端に粘着しにくいため、第１の側止部１１の頂端及び第２の側止部１２の頂端には、塗装ムラ欠陥が発生しない。
【００３６】
［実施形態にかかる有益な効果］
本考案に係る有益な効果の１つとしては、本考案が提供する隠しスライダー組立構造体Ｚでは、「第１の側止部１１の頂端が複数の第１の微小凸構造１１１を有し、第２の側止部１２の頂端が複数の第２の微小凸構造１２１を有すること」、及び「引き手２が少なくとも１つの第１の微小凸構造１１１、又は少なくとも１つの第２の微小凸構造１２１に接触する」という技術手段により、引き手２が第１の側止部１１及び第２の側止部１２の何れか一方に接触する接触面積を低減することができる。
【００３７】
ここで、第１の微小凸構造１１１及び第２の微小凸構造１２１の外面は、円弧面又は曲面のいずれかに形成されてもよいが、本考案はそれに制限されない。
【００３８】
それにより、引き手２は、第１の凹溝１１０２及び第２の凹溝１２０２を接触せずに、第１の凸形状のリブ１１０１、又は第２の凸形状のリブ１２０１のみに接触するため、本考案が提出した隠しスライダー組立構造体Ｚは、効果的に引き手２と第１の側止部１１の頂端との間の接触面積を低減するか、或いは、引き手２と第２の側止部１２の頂端との間の接触面積を低減することができる。ここで、隠しスライダー組立構造体Ｚに着色塗装やメッキ層をかける際、引き手２が第１の側止部１１の頂端及び第２の側止部１２の頂端に粘着しにくいため、第１の側止部１１の頂端及び第２の側止部１２の頂端には、塗装ムラ欠陥が発生しない。
【００３９】
以上に開示される内容は本考案の好ましい実施可能な実施例に過ぎず、これにより本考案の実用新案登録請求の範囲を制限するものではないので、本考案の明細書及び添付図面の内容に基づき為された等価の技術変形は、全て本考案の実用新案登録請求の範囲に含まれるものとする。
【符号の説明】
【００４０】
Ｚ              隠しスライダー組立構造体
１              摺動部
１０            基底部
１０１          前端部
１０２          後端部
１１            第１の側止部
１１０          第１の凹凸構造
１１０１        第１の凸形状のリブ
１１０２        第１の凹溝
１１１          第１の微小凸構造
Ｈ１１、Ｈ１２  高さ
１２            第２の側止部
１２０          第２の凹凸構造
１２０１        第２の凸形状のリブ
１２０２        第２の凹溝
１２１          第２の微小凸構造
Ｈ２１、Ｈ２２  高さ
１３            ベース部
１３０          貫通位置決め開口
１４            可動係合体
１４０          位置決め部
１４００        縁取り
２              引き手
２０            末端部
３              ファスナーテープ
３１            第１のエレメント列
３１０          第１のエレメントキャリア
３１１          第１のエレメント
３２            第２のエレメント列
３２０          第２のエレメントキャリア
３２１          第２のエレメント
【図１】
0003221553.tif 000003
【図２】
0003221553.tif 000004
【図３】
0003221553.tif 000005
【図４】
0003221553.tif 000006
【図５】
0003221553.tif 000007
【図６】
0003221553.tif 000008
【図７】
0003221553.tif 000009
【図８】
0003221553.tif 000010
【図９】
0003221553.tif 000011
【図１０】
0003221553.tif 000012
【図１１】
0003221553.tif 000013
【図１２】
0003221553.tif 000014
【図１３】
0003221553.tif 000015
【図１４】
0003221553.tif 000016
【図１５】
0003221553.tif 000017
【図１６】
0003221553.tif 000018
【図１７】
0003221553.tif 000019
【図１８】
0003221553.tif 000020
【手続補正書】
【提出日】平成31年3月27日(2019.3.27)
【手続補正１】
【補正対象書類名】実用新案登録請求の範囲
【補正対象項目名】請求項３
【補正方法】変更
【補正の内容】
【請求項３】
前記第１の凹凸構造は、前記第１の側止部の前記頂端の最も内側に配置される少なくとも１つの第１の凸形状のリブを含み、複数の前記第１の微小凸構造は、少なくとも１つの前記第１の凸形状のリブに配置され、前記第１の凹凸構造は、前記第１の側止部の前記頂端の最も外側に配置される少なくとも１つの第１の凹溝を含み、少なくとも１つの前記第１の凸形状のリブが前記基底部に対する高さは、少なくとも１つの前記第１の凹溝が前記基底部に対する高さよりも大きく形成され、
前記第２の凹凸構造は、前記第２の側止部の前記頂端の最も内側に配置される少なくとも１つの第２の凸形状のリブを含み、複数の前記第２の微小凸構造は、少なくとも１つの前記第２の凸形状のリブに配置され、前記第２の凹凸構造は、前記第２の側止部の前記頂端の最も外側に配置される少なくとも１つの第２の凹溝を含み、少なくとも１つの前記第２の凸形状のリブが前記基底部に対する高さは、少なくとも１つの前記第２の凹溝が前記基底部に対する高さよりも大きく形成され、
前記引き手は、少なくとも１つの前記第１の凹溝と少なくとも１つの前記第２の凹溝とのいずれにも互いに接触せずに離れている、ことを特徴とする、請求項２に記載する隠しスライダー組立構造体。
【手続補正２】
【補正対象書類名】実用新案登録請求の範囲
【補正対象項目名】請求項５
【補正方法】変更
【補正の内容】
【請求項５】
前記第１の凹凸構造は、前記第１の側止部の前記頂端に配置される少なくとも２つの第１の凹溝と、少なくとも２つの前記第１の凹溝の間に位置される少なくとも１つの第１の凸形状のリブとを含み、複数の前記第１の微小凸構造は、少なくとも１つの前記第１の凸形状のリブに配置され、少なくとも１つの前記第１の凸形状のリブの前記基底部に対する高さは、少なくとも２つの前記第１の凹溝の前記基底部に対する高さよりも大きく形成され、
前記第２の凹凸構造は、前記第２の側止部の前記頂端に配置される少なくとも２つの第２の凹溝と、少なくとも２つの前記第２の凹溝の間に位置される少なくとも１つの第２の凸形状のリブとを含み、複数の前記第２の微小凸構造は、少なくとも１つの前記第２の凸形状のリブに配置され、少なくとも１つの前記第２の凸形状のリブの前記基底部に対する高さは、少なくとも２つの前記第２の凹溝の前記基底部に対する高さよりも大きく形成され、
前記引き手は、前記第１の凹溝と前記第２の凹溝とのいずれにも互いに接触せずに離れている、ことを特徴とする、請求項２に記載する隠しスライダー組立構造体。
【手続補正３】
【補正対象書類名】実用新案登録請求の範囲
【補正対象項目名】請求項６
【補正方法】変更
【補正の内容】
【請求項６】
基底部、第１の側止部、第２の側止部、ベース部、及び可動係合体を含む摺動部と、可動的に前記可動係合体と互いに合わせるように構成される引き手と、を含む隠しスライダー組立構造であって、
前記第１の側止部と前記第２の側止部とは、それぞれ前記基底部の２つの反対側端から上に伸びるように形成され、前記可動係合体は、移動可能に前記ベース部に配置され、
前記第１の側止部の頂端は、複数の第１の微小凸構造を含み、前記第２の側止部の頂端は、複数の第２の微小凸構造を含み、前記引き手は、少なくとも１つの前記第１の微小凸構造、又は少なくとも１つの前記第２の微小凸構造に接触して、それにより、前記引き手が前記第１の側止部と前記第２の側止部との何れか一方に接触する接触面積を低減する、ことを特徴とする、隠しスライダー組立構造体。